(57)【要約】【課題】造影剤検査をできるだけ少ない造影剤投与でもって可能にする。【解決手段】放射線源（８）と、検出器（９）と、位置決めユニット（４，１３）と、位置決めユニット（４，１３）の制御および検出器（９）の撮影データの評価のための制御ユニット（１８）とを備えた対象（２）の連続断層画像を作成するための画像発生装置（１）が示されている。制御ユニット（１８）は、検査のために造影剤装置に準備されかつ造影剤投与のためのパラメータが格納されている造影剤プロトコルを、検査のために準備されかつ連続断層画像の作成のための動作パラメータが格納されている走査プロトコルに、不必要な投与段階を回避しながら適合化させるように構成されている。【選択図】図１
2007190392.tif 000002
【特許請求の範囲】
【請求項１】
放射線源（８）と、検出器（９）と、位置決めユニット（４，１３）と、位置決めユニット（４，１３）の制御および検出器（９）の撮影データの評価のための制御ユニット（１８）とを備えた対象（２）の連続断層画像を作成するための画像発生装置（１）において、制御ユニット（１８）は、検査のために造影剤装置に準備されかつ造影剤投与のためのパラメータが格納されている造影剤プロトコルを、検査のために準備されかつ連続断層画像の作成のための動作パラメータが格納されている走査プロトコルに、不必要な投与段階の回避のもとに適合させるように構成されていることを特徴とする画像発生装置（１）。
【請求項２】
制御ユニット（１８）は、検査開始前に、走査プロトコルと造影剤プロトコルとの間における対立状況を、特に異なる持続時間の場合において確認し、適合化のための要求を有する相応の警報を対話形式にて出力するように構成されていることを特徴とする請求項１記載の画像発生装置（１）。
【請求項３】
制御ユニット（１８）は、制御のために造影剤装置（２３）に接続可能であり、かつ造影剤プロトコルを、特に検査中に、自動的に走査プロトコルに適合させるように構成されていることを特徴とする請求項１又は２記載の画像発生装置（１）。
【請求項４】
制御ユニット（１８）は、造影剤投与のパラメータとして投与段階を延長し、短縮し、あるいは新たに発生させるように構成されていることを特徴とする請求項３記載の画像発生装置（１）。
【請求項５】
制御ユニット（１８）は、走査プロトコルの終端到達直前または終端到達時に造影剤プロトコルを停止させるように構成されていることを特徴とする請求項３又は４記載の画像発生装置（１）。
【請求項６】
制御ユニット（１８）は、造影剤プロトコルを投与段階の短縮によって停止させるように構成されていることを特徴とする請求項５記載の画像発生装置（１）。
【請求項７】
制御ユニット（１８）は、走査終端到達直前または走査終端到達時にボーラスチェイサーの投与によって造影剤プロトコルを適合させるように構成されていることを特徴とする請求項３又は４記載の画像発生装置（１）。
【請求項８】
制御ユニット（１８）は、走査終端を動作パラメータから算定するように構成されていることを特徴とする請求項５乃至７の１つに記載の画像発生装置（１）。
【請求項９】
制御ユニット（１８）は、走査終端の前にある適合化時点または停止時点を、動作パラメータから、特に走査遅延時間から算定するように構成されていることを特徴とする請求項５乃至８の１つに記載の画像発生装置（１）。
【請求項１０】
制御ユニット（１８）は、走査終端の前にある適合化時点または停止時点を、造影剤の伝搬速度および造影剤投与位置に対する相対的な検査領域の位置から算定するように構成されていることを特徴とする請求項５乃至９の１つに記載の画像発生装置（１）。
【請求項１１】
制御ユニット（１８）は、検査領域の位置を、位置決めユニット（４，１３）の位置から導き出すか、または画像処理により認識するように構成されていることを特徴とする請求項１０記載の画像発生装置（１）。
【請求項１２】
放射線源（８）と、検出器（９）と、位置決めユニット（４，１３）とを備えた画像発生装置（１）を動作させるための方法において、検査のために造影剤装置に準備されかつ造影剤投与のためのパラメータが格納されている造影剤プロトコルが、検査のために準備されかつ連続断層画像の作成のための動作パラメータが格納されている走査プロトコルに、不必要な投与段階の回避のもとに適合させられることを特徴とする方法。
【請求項１３】
検査開始前に、走査プロトコルと造影剤プロトコルとの間における対立状況が、特に異なる持続時間の場合において確認され、適合化のための要求を有する相応の警報が対話形式にて出力されることを特徴とする請求項１２記載の方法。
【請求項１４】
造影剤プロトコルが、走査プロトコルに自動的に、とりわけ検査中に適合させられることを特徴とする請求項１２又は１３記載の方法。
【請求項１５】
造影剤投与のパラメータとして投与段階が延長され、短縮され、あるいは新たに発生させられることを特徴とする請求項１４記載の方法。
【請求項１６】
走査プロトコルの終端到達直前または終端到達時に造影剤プロトコルが停止させられることを特徴とする請求項１４又は１５記載の方法。
【請求項１７】
造影剤プロトコルが投与段階の短縮によって停止させられることを特徴とする請求項１６記載の方法。
【請求項１８】
造影剤プロトコルが、走査終端到達直前または走査終端到達時にボーラスチェイサーの投与によって適合させられることを特徴とする請求項１４又は１５記載の方法。
【請求項１９】
走査終端が動作パラメータから算定されることを特徴とする請求項１６乃至１８の１つに記載の方法。
【請求項２０】
走査終端の前にある適合化時点または停止時点が、動作パラメータから、特に走査遅延時間から算定されることを特徴とする請求項１６乃至１９の１つに記載の方法。
【請求項２１】
走査終端の前にある適合化時点または停止時点が、造影剤の伝搬速度および造影剤投与位置に対する相対的な検査領域の位置から算定されることを特徴とする請求項１６乃至２０の１つに記載の方法。
【請求項２２】
検査領域の位置が、位置決めユニット（４，１３）の位置から導き出されるか、または画像処理により認識されることを特徴とする請求項２１記載の方法。
【発明の詳細な説明】
【技術分野】
【０００１】
本発明は、対象の連続断層画像の作成のための画像発生装置に関する。更に、本発明はこのような画像発生装置を動作させるための方法に関する。
【背景技術】
【０００２】
連続断層画像の作成のための画像発生装置は、検査される対象の内部に関する情報を取得するために用いられる。断層画像から、例えば患者の内部器官、骨組織またはその他の軟部組織の位置、大きさまたは構造に関する有用な情報を得ることができる。特に、連続断層画像から３次元表示への換算も可能である。
【０００３】
連続断層画像を撮影するためのこの種の画像発生装置は、例えばＸ線コンピュータ断層撮影装置、磁気共鳴断層撮影装置、光子放出コンピュータ断層撮影装置または陽電子放出断層撮影装置であるとよい。同様にこのような画像発生装置は超音波に基づいて構成されていてもよい。
【０００４】
この種の画像発生装置により発生させられた対象、例えば患者の画像のコントラストは、画像発生装置により使用される放射、粒子放射または音波に対する被検査物質の局所的に異なる励起特性、吸収特性、反射特性または放出特性によって生じさせられる。Ｘ線装置の場合には、異なる組織種類の異なる吸収特性または減弱特性がコントラスト発生に利用される。例えば骨組織および軟部組織は上述の特性において非常に異なっているために、それに関連したコントラストに基づいて画像内において患者の骨構造を解析することができる。撮影された画像内におけるコントラスト形成のため上述の特性において周辺組織から本質的に相違しない器官または管は、結果として生じる低すぎるコントラストのために、従来のやり方では検査することができない。この理由から、血液が通流する器官、例えば心臓、肝臓または患者の末端範囲における血管を検査する際に、画像発生装置による検査の開始前に造影剤が患者の血液循環路内に投与される。造影剤のおかげで、検査される器官が周辺組織に対して十分高いコントラストにて描出される。
【０００５】
造影剤投与による断層画像の作成時には、造影剤の同時存在に注意しなければならない。
このためには、画像発生装置の動作パラメータおよび患者内における投与造影剤の伝搬を相互に調整することが必要である。このためには、画像撮影のための画像発生装置の動作パラメータが格納されているいわゆる走査プロトコルと、造影剤伝搬のパラメータが格納されているいわゆる造影剤プロトコルとが、その都度所望の検査範囲に対して互いに適切に選択される。
【０００６】
走査プロトコルにおいては、例えば出力値、作用する発生の持続時間、放射エネルギーまたは走査遅延時間、すなわち個々の断層画像撮影間またはモニタリング段階と撮影段階との間の遅延時間が動作パラメータとして格納されている。
【０００７】
検査中には、走査プロトコルに対して選択された造影剤プロトコルにしたがって、造影剤が、例えば造影剤装置により投与される。この場合に造影剤投与のためのパラメータは、例えば濃度、流量、造影剤の絶対供給量である。特に、造影剤プロトコルは多数の異なる投与段階を含み得る。これらの投与段階は上述のパラメータにおいて異なるが、供給手段の種類においても異なる。複雑な造影剤プロトコルにおいては、造影剤が投与される段階間に、例えば食塩水が供給される段階も配置され得る。
【０００８】
造影剤プロトコルは患者内における予測可能な造影剤経過を発生させるために用いられるので、連続断層画像の撮影中、検査範囲内にはコントラスト形成のためにその都度必要な造影剤濃度が存在する。例えば、食塩水が供給される段階は、願わしくないほどに多すぎる造影剤により患者に負担をかけることのないように、時間的な造影剤経過を予測可能に保つために役立つ。
【０００９】
不都合なことに実際には、断層画像の撮影のためにもはや全く必要でないときに、なおも造影剤が造影剤プロトコルにしたがって投与されることがしばしば発生する。この願わしくない過剰量投与は患者にとって何の付加的効果もない。
【発明の開示】
【発明が解決しようとする課題】
【００１０】
本発明の課題は、造影剤検査時にできるだけ少ない量の投与造影剤でもって良好なコントラストを有する被検査器官の表示を可能にする対象の連続断層画像の作成のための画像発生装置を提供することにある。更に、本発明の課題は、画像発生装置を動作させるための同じ利点に関連した方法を提供することにある。
【課題を解決するための手段】
【００１１】
装置に向けられた課題は、本発明によれば、放射線源と、検出器と、位置決めユニットと、位置決めユニットの制御および検出器の撮影データの評価のための制御ユニットとを備えた対象の連続断層画像を作成するための画像発生装置において、制御ユニットは、検査のために造影剤装置に準備されかつ造影剤投与のためのパラメータが格納されている造影剤プロトコルを、検査のために準備されかつ連続断層画像の作成のための動作パラメータが格納されている走査プロトコルに、不必要な投与段階の回避のもとに適合させるように構成されていることによって解決される。
【００１２】
本発明は、第１のステップにおいて、不必要な造影剤が走査プロトコルと造影剤プロトコルとの間の不完全な相関により投与されるという考えに基づく。例えば、画像発生装置の走査終了後になおも造影剤または食塩水が何の効果もなしに投与されることが起こる。検査位置が造影剤の投与位置から離れて存在している場合に、走査終了前に投与された造影剤も、しばしば走査プロトコルの遮断前には検査位置に全く到達できない。
【００１３】
第２ステップにおいて、本発明は、検査のために用意された走査プロトコルに造影剤プロトコルを相応に適合させるならば、不必要に投与される造影剤の過剰量を回避することができるという考えに基づく。適合化のために、プロトコルの持続時間が互いに調整されると共に、造影剤プロトコルにおける造影剤投与パラメータが変更されるとよい。例えば、とりわけ造影剤プロトコルの個々の投与段階において、その都度、投与すべき造影剤濃度、造影剤量または造影剤流量が変更される。造影剤プロトコルの適合化は、新たな投与段階の追加または既存の投与段階の消去も含む。更に、造影剤投与と、例えば食塩水の如き他の薬剤の投与との間の切替時点も移動可能である。
【００１４】
例えば造影剤プロトコルの与えられた投与段階において造影剤投与が適切な時点で食塩水によって置き換えられる場合には、造影剤ボーラスそのものは検査のために保たれたままであってよく、検査終了後に検査位置に後続の食塩水が通流し、高価で負担のかかる造影剤は通流しない。このように供給される食塩水はボーラスチェイサー（Ｂｏｌｕｓ−Ｃｈａｓｅｒ）と呼ばれる。
【００１５】
適合化のために、制御ユニットは、例えばプロトコルの個々の段階から、造影剤について不必要な投与段階が存在するかどうかを導き出す。このために、断層撮影の際または撮影時点における造影剤の伝搬速度、検査位置、予定の走査速度、装置固有のまたは設定された遅延時間が考慮されるとよい。この場合に考慮されたパラメータは測定値または経験値に基づくとよく、特に患者の体質に依存させてもよい。造影剤プロトコルが相応に適合化されるので、造影剤投与の際におけるこのような不必要な投与段階が回避される。
【００１６】
制御ユニットは、検査開始前に、走査プロトコルと造影剤プロトコルとの間における対立状況を、特に異なる持続時間の場合において確認し、不必要な投与段階が確認されたときには、適合化のための要求を有する相応の警報を対話形式にて出力するように構成されていることが好ましい。このために警報の対話形式での出力はグラフィック表示ユニット上において行なわれる。対立状況は、例えば造影剤プロトコルにしたがってなおも造影剤が走査終了後に供給される場合に存在する。この場合に使用者に別の方法のための選択肢を提案することができる。使用者は、例えば存在する対立にもかかわらず、準備された造影剤プロトコルを検査に使用することができる。別の選択肢として、使用者は、変更された、特に短縮された造影剤プロトコルを提案することができる。
【００１７】
本発明の有利な構成において、制御ユニットは、制御のために造影剤装置に接続可能であり、かつ造影剤プロトコルを、特に検査中に、自動的に走査プロトコルに適合させるように構成されている。造影剤装置への制御ユニットの接続は、例えば確認された対立状況が確認された場合に、造影剤プロトコルの自動的な適合化を可能にする。特に、制御ユニットは、造影剤プロトコルが検査中に自動的に走査プロトコルに適合されるように造影剤装置を制御する。場合によっては、遅延時間などが実際の検査の実施時に適合化のために考慮されるとよい。
【００１８】
他の有利な構成において、制御ユニットは、造影剤投与のパラメータとして投与段階を延長し、短縮し、あるいは新たに発生させるように構成されている。これは不必要な造影剤投与を回避することを可能にする。
【００１９】
制御ユニットは、走査プロトコルの終端到達直前または終端到達時に造影剤プロトコルを停止させるように構成されていることが好ましい。造影剤投与が遅くとも走査プロトコルの終端到達時に停止されるので、その終端以降はどの不必要な造影剤投与または食塩水投与も回避される。走査プロトコルの終了後に投与される薬剤は、どんなやり方にしろ、もはや画像発生のために効果をもたらさない。
【００２０】
他の代替案によって、走査プロトコルの終端到達前に既に造影剤投与を停止させることができる。これは、投与された造影剤の伝搬速度にその根拠がある。伝搬速度が既知であるか、または伝搬速度が見積もられる場合には、投与された造影剤が検査位置に到着するのに何時間を要するかを予め計算することができる。造影剤投与は、この遅延時間だけ短縮されて、走査プロトコルの終端到達前に既に停止される。この場合に有利な形態において、制御ユニットは、走査終端の前に置かれた適合化時点または停止時点の算定のために、走査プロトコルから、特に走査遅延時間、すなわち個々の断層画像撮影間または監視段階と撮影段階との間における装置固有のまたは設定された遅延時間を考慮するように構成されている。造影剤投与の停止は、特に造影剤プロトコルの投与段階が予め短縮されることよって行なわれるとよい。
【００２１】
造影剤投与を停止する代わりに、走査終端到達直前または走査終端到達時にボーラスチェイサーの投与によって造影剤プロトコルを適合化してもよい。遅くとも走査終端到達時に、または相応に上述の遅延時間だけ短縮されて、相応の投与段階において、造影剤の代わりに、患者に負担をかけない薬剤、例えば食塩水が投与されてもよい。これによって、既に投与された造影剤は分配機能を維持するので、作成される断層画像における画像コントラストの低下は起きない。
【００２２】
走査終端自体は動作パラメータから算定することが好ましい。例えば検査位置ならびに画像発生装置の走査速度が予め与えられるならば、場合によっては走査遅延時間の考慮のもとに走査持続時間およびそれにともなう走査終端が決定されるとよい。走査持続時間が、特に造影剤プロトコルの持続時間と比較されるとよい。
【００２３】
制御ユニットは、走査終端の前にある適合化時点または停止時点を、造影剤の伝搬速度および造影剤投与位置に対する相対的な検査領域の位置から算定するように構成されていることが好ましい。このために造影剤の伝搬速度は、例えば本来の検査に前置されたテストボーラス経過を介して求められる。このために予め患者の種々の位置において僅かの投与造影剤の到着が例えば画像評価によって測定され、これから伝搬速度が決定される。
【００２４】
特に、この構成は、画像発生装置がいわゆるボーラスト追跡動作をするときにも適している。このために本来の検査の開始前に、検査領域の前に置かれた固定の走査位置において一連の連続断層画像が求められ、選択された画像範囲における断層画像のコントラストが評価される。このやり方で、投与された造影剤の到着時間が直接的に求められ、これによって始動されて後続では検査が最適な時点で開始される。この際に到着時間はここでも伝搬速度に逆算される。
【００２５】
検査領域が造影剤投与位置から遠く離れているほど、走査終端に対してより早く造影剤プロトコルが停止または変更される。特に、例えば測定されたまたは経験値に基づいて予め与えられた造影剤伝搬速度において、造影剤投与位置に対する検査領域の距離を考慮する補正係数を実現することができる。走査終端の予め算定された時間がこの補正係数だけ短縮され、前もって造影剤投与が停止されるか、またはボーラスチェイサーが造影剤の代わりに投与される。
【００２６】
検査領域の位置は位置決めユニットの位置から導き出すことが好ましい。位置決めユニットに対する相対的な患者位置が固定的に予め与えられる場合には、検査領域の位置は位置決めユニットの位置から導き出すことができる。別の可能性として検査領域は画像処理により撮影断層画像から取り出すことができる。このために、例えば撮影された器官が自動的に認識され、これから検査領域の位置が逆推定される。
【００２７】
方法に向けられた課題は、本発明によれば、放射線源と、検出器と、位置決めユニットとを備えた画像発生装置を動作させるための方法において、検査のために造影剤装置に準備されかつ造影剤投与のためのパラメータが格納されている造影剤プロトコルが、検査のために準備されかつ連続断層画像の作成のための動作パラメータが格納されている走査プロトコルに、不必要な投与段階の回避のもとに適合させられることによって解決される。
【００２８】
方法の他の有利な構成は、方法に向けられた従属請求項において明らかにされている。この場合に画像発生装置について述べた利点は意味に則して対応する方法に当てはめることができる。
【発明を実施するための最良の形態】
【００２９】
本発明の実施例を図面に基づいて更に詳細に説明する。図１は、画像発生装置として付設の制御ユニットを備えたＸ線コンピュータ断層撮影装置を透視図にて示す。
【００３０】
画像発生装置として、図１には、対象の検査、ここでは患者２の検査のためのコンピュータ断層撮影装置１が示されている。コンピュータ断層撮影装置１は、ガントリ４において回転軸６の周りに回転可能に配置されたＸ線放射送出のための放射線源８を含む。放射線源８に対向して湾曲形状の検出器９が配置されている。検出器９は検出器列１０，１１，１２に並べられた多数の検出器エレメントを含む。
【００３１】
更に、コンピュータ断層撮影装置１は、テーブル１４上において回転軸６に沿って移動可能にテーブル１４上に取り付けられたテーブル板１３を含む。
【００３２】
コンピュータ断層撮影装置１の他の構成部分として制御ユニット１８を認識することができる。制御ユニット１８は、オペレータコンソール２０およびグラフィック表示ユニット２１を持っている。制御ユニット１８は制御線２２を介してコンピュータ断層撮影装置１に接続されている。
【００３３】
制御ユニット１８は、連続断層画像の撮影のために移動可能なテーブル板１３の送りおよびガントリ４の回転を制御するように構成されている。ガントリ４およびテーブル板１３は一緒になって、断層画像を患者２の種々の空間位置において撮影することを可能にする位置決めユニットを構成する。ピッチ値を介して、すなわちガントリ４の回転速度およびテーブル板１３の送り速度からなる比を介して、コンピュータ断層撮影装置１の走査速度を調整することができる。この場合に、ガントリ４の回転は患者２の１つの縦位置における１つの断層画像の撮影をもたらし、これに対してテーブル板１３の送りは撮影すべき断層画像の連続化に責任を持つ。
【００３４】
断層画像の検出のために、検出器９により、放射線源８から出射されて患者２を透過するＸ線放射が検出される。図示のコンピュータ断層撮影装置１の場合には、このために放射線源８がファン状のＸ線ビームを発生する。したがって、ガントリ４の各位置においてＸ線放射の特徴的な減弱画像が検出される。ガントリ４の種々の位置において得られた投影から断層画像が再構成される。断層画像上では、異なる減弱特性を持った組織が異なる灰色値にて表示されている。
【００３５】
断層画像の撮影は、制御ユニット１８において選択された走査プロトコルに基づくガントリ４、テーブル板１３ならびに放射線源８の制御によって行なわれる。この場合に走査プロトコルには、放射線源８のための出力値、特にピッチ値の如き送りパラメータならびに走査遅延値が格納されている。
【００３６】
血液が通流する器官、例えば心臓、肝臓または血管の検査のために造影剤添加が用意されている。このために制御ユニット１８が制御線２７を介して造影剤装置２３に接続されていて、造影剤装置２３を介して造影剤２４が造影剤チューブ２９により予め与えられた造影剤プロトコルにしたがって患者２に制御されて供給される。造影剤投与パラメータとして、その都度の造影剤プロトコルは、特に異なる投与段階の個数および種類を含み、これらはそれぞれ供給される薬剤の種類、それの流量および絶対量において異なる。
【００３７】
検査開始時に制御ユニット１８は、選択された走査プロトコルと選択された造影剤プロトコルとの間に、どの程度まで不必要な投与段階に関して対立が存在するかを調べる。このために制御ユニット１８は、特に走査終端到達時に造影剤プロトコルにしたがって更に造影剤２４が投与されるかどうかをチェックする。このために走査終端が走査プロトコルによる動作パラメータから予め算定される。走査終端においてなおも不必要に造影剤２４が投与される場合には、表示ユニット２１においてダイアログが出力され、ダイアログにより使用者は、準備された造影剤プロトコルによれば走査終了後になおも造影剤２４が投与されることを指摘される。使用者はそれにしたがって、準備された造影剤プロトコルを使用したいか、あるいは準備されたプロトコルが制御ユニット１８によって自動的に短縮されるかどうかを入力によって決定する。
【００３８】
使用者が制御ユニット１８による自動的な短縮を選択した場合には、制御ユニット１８は、先ず、最後の投与段階において走査時間の終端で造影剤投与が停止されるように、造影剤プロトコルを短縮する。
【００３９】
計画された検査領域における検査は、その検査領域に前置された走査位置の画像評価によって始動させられる。このためにコンピュータ断層撮影装置１は前置された走査位置において一連の断層画像を撮影する。選択された画像範囲において、特に血管を有する画像範囲において、撮影された減弱値が加算され、平均値が求められる。造影剤２４の到着により減弱値が増大するので、予め与えられた閾値の超過時に走査位置への造影剤２４の到着を決定することができる。閾値を越えた際に制御ユニット１８は、コンピュータ断層撮影装置１の監視動作を中断し、検査領域において連続断層画像の撮影が走査プロトコルにしたがって始まり得るように位置決めユニット４，１３を制御する。前置された走査位置における造影剤の投与時点と到着時点との間の差から、制御ユニット１８は、患者２内における造影剤２４の伝搬速度を求める。
【００４０】
更に、制御ユニット１８は、位置決めユニット４，１３の現在の位置から、検査領域が造影剤投与位置に対してどのくらいの距離にあるかを認識する。走査終端に到達したとき、制御ユニット１８は、造影剤２４の伝搬速度および検査領域までの造影剤伝搬距離を介して、走査終端の予め算定された時間から差し引かれる補正時間を算定する。この時間だけ短縮されて造影剤投与が走査到達前に停止される。
【００４１】
代替的な構成において、造影剤プロトコルは、求められた補正時間の考慮のもとで、補正時間だけ短縮されて走査終了前に造影剤装置２３が造影剤投与から食塩水供給に切り替えられるように変更される。この場合に食塩水はいわゆるボーラスチェイサーとして働き、患者２内における造影剤経過は連続断層画像の撮影終了まで影響を及ぼされないままである。不必要に造影剤投与によって患者２に負担をかけるということがなくなる。
【００４２】
上述の方法は、走査プロトコルの個々の走査段階中においても行なうことができ、一般に検査終端に限定されない。
【図面の簡単な説明】
【００４３】
【図１】画像発生装置として付設の制御ユニットを備えたＸ線コンピュータ断層撮影装置を示す透視図
【符号の説明】
【００４４】
１        画像発生装置（コンピュータ断層撮影装置）
２        対象（患者）
４        ガントリ
６        回転軸
８        放射線源
９        検出器
１０        検出器列
１１        検出器列
１２        検出器列
１３        テーブル板
１４        テーブル
１８        制御ユニット
２０        オペレータコンソール
２１        表示ユニット
２２        制御線
２３        造影剤装置
２４        造影剤
２７        制御線
２９        造影剤チューブ
【図１】
2007190392.tif 000003